(57)【要約】    【課題】  本発明の目的は、着呼時又は、着呼時以前から発呼者の画像を表示して通信相手を確認できると共に、テレビ電話通話中に他の着呼があった際に通話を継続しながら着呼時又は、着呼時以前から発呼者の画像を表示して他方の通信相手を確認でき、更に、第１の接続先が応答しない場合に第２の接続先に対応させる際に、第２の接続先への発呼の遅れがなく切替えが可能なテレビ電話通信方法及びその装置を提供することにある。    【解決手段】  本発明は、複数のテレビ電話同士で通話するテレビ電話の通信方法において、来訪者の検出があった際、監視カメラによる画像とテレビ電話による画像とを確認し、前記テレビ電話への接続により前記通話を行うと共に、該通話中に他の来訪者があった際、他の監視カメラの画像と他のテレビ電話用カメラの画像とを表示すると共に、応答すべき優先順位を表示することを特徴とする。【選択図】図１
2006140652.tif 000002
【特許請求の範囲】
【請求項１】
複数のテレビ電話同士で通話するテレビ電話の通信方法において、来訪者の検出があった際、監視カメラによる画像とテレビ電話による画像とを確認し、前記テレビ電話への接続により前記通話を行うと共に、該通話中に他の来訪者があった際、他の監視カメラの画像と他のテレビ電話用カメラの画像とを表示すると共に、応答すべき優先順位を表示することを特徴とするテレビ電話の通信方法。
【請求項２】
来訪者の入室を検出する入室センサ、第１テレビ電話、該テレビ電話への画像を取得する第１テレビ電話用カメラ及び前記来訪者の画像を取得する監視カメラを備えた２台以上の受付端末と、前記入室センサが反応した際に応答すべき優先順位を表示する優先順位表を有する入室表示器、前記監視カメラの画像及び前記第１テレビ電話用カメラが撮影した画像を表示するディスプレイ、前記第１テレビ電話と接続して会話する第２テレビ電話器を有する２台以上の中央端末とを有し、前記受付端末と中央端末を結ぶ伝送路を介して前記第１テレビ電話と第２テレビ電話とで通話することを特徴とするテレビ電話装置。
【発明の詳細な説明】
【技術分野】
【０００１】
本発明は、テレビ電話を用いて遠隔通話を行う新規なテレビ電話通信方法及びテレビ電話装置に関する。
【背景技術】
【０００２】
従来、テレビ電話では着呼表示の時点では接続要求のあったテレビ電話端末の名称までしか分らず、発呼者がどのような人なのかは応答して接続してからでないと分らない欠点がある。その欠点を解決するものとして、特許文献１のように、ＩＳＤＮ（総合デジタル通信網 Integrated Services Digital Network）がＢチャネル(情報チャネル)を２チャンネル利用できることを応用して、１チャンネルをテレビ電話用に使用し、別なＢチャンネルを接続して発呼者の画像のみ送信して着呼者に表示したり、特許文献２のように、ＩＳＤＮのＢチャンネル１チャンネルをテレビ電話の通信用に使用し、Ｄチャンネル(信号チャンネル)を利用して、テレビ電話用の着呼信号と共に、別なＢチャンネルを接続して発呼者の画像のみ送信して着呼者に表示することで、応答して接続する前に発呼者の画像を確認する方法がある。
また、通話中に着呼があっても、従来のテレビ電話では通話中に他のテレビ電話からの着呼を受けた際に、着呼者がどのような人かを知る為には、通話中の相手との通話を切断してから、着呼に応答して接続しなければ分らない欠点があった。
この欠点を解決する為、特許文献３のように画像を同時に表示可能な表示手段と共に音声を同時に出力可能な出力手段を備えることで、通話中の相手方に悟られないように、着呼者の画像を得ることを可能とした方式がある。
【０００３】
更に、発呼した第１の相手先に対応する者がいない等の理由で応答できない場合に、第２の相手先に対応させるには、発呼した相手先が一定時間応答しないことを検知して、第２の相手先端末へ発呼し直す特許文献４のような方法がある。
【０００４】
【特許文献１】特許第２６８３４０８号公報
【特許文献２】特許第２６０１７２２号公報
【特許文献３】特許第２８５６７５１号公報
【特許文献４】特開２０００−２９５５９２号公報
【発明の開示】
【発明が解決しようとする課題】
【０００５】
特許文献１においては、テレビ電話以外の通信でＢチャンネルが１チャンネルしか使用できない状態だと画像の伝送ができない、相手が発呼操作をしないと相手の画像が伝送されない、同時に２台以上の相手からの接続要求があると、一瞬でも先に接続要求のあった相手の着呼しか表示できず、もう一方の相手は話中になる。
【０００６】
同様に、特許文献２では、相手が発呼操作をしないと相手の画像が伝送されないこと、更に、特許文献３は、画像を同時に表示可能な表示手段と共に音声を同時に出力可能な出力手段を備えるため、実質的にテレビ電話装置を２台備える必要があり、第２の発呼元の画像を表示する為に応答してテレビ電話を接続するため、発呼元のテレビ電話は接続されたように表示されてしまう。
又、特許文献４のように、一定時間応答されない場合に第１の接続先への発呼を止めて、第２の接続先へ発呼する方式では、第２の接続先が応答できるとしても、一定時間第２の接続先への発呼が遅れる。
【０００７】
いずれの特許文献においても、テレビ電話端末では着呼の時点では接続要求のあったテレビ電話端末の名称までしか分らず、相手がどのような人か分らないと共に、通話中に着呼があった場合に一度切断して新たな着呼に応答して接続するまでは、相手がどのような人か分らず、テレビ電話端末では同時に１箇所の相手方しか発呼できない為他の相手先に転送するまでの無駄な時間が発生する。
【０００８】
本発明の目的は、着呼時又は、着呼時以前から発呼者の画像を表示して通信相手を確認できると共に、テレビ電話通話中に他の着呼があった際に通話を継続しながら着呼時又は、着呼時以前から発呼者の画像を表示して他方の通信相手を確認でき、更に、第１の接続先が応答しない場合に第２の接続先に対応させる際に、第２の接続先への発呼の遅れがなく切替えが可能なテレビ電話通信方法及びその装置を提供することにある。
【課題を解決するための手段】
【０００９】
本発明は、複数のテレビ電話同士で通話するテレビ電話の通信方法において、来訪者の検出があった際、監視カメラによる画像とテレビ電話による画像とを確認し、前記テレビ電話への接続により前記通話を行うと共に、該通話中に他の来訪者があった際、他の監視カメラの画像と他のテレビ電話用カメラの画像とを表示すると共に、応答すべき優先順位を表示することを特徴とする。
【００１０】
又、本発明は、来訪者の入室を検出する入室センサ、第１テレビ電話、該テレビ電話への画像を取得する第１テレビ電話用カメラ及び前記来訪者の画像を取得する監視カメラを備えた２台以上の受付端末と、前記入室センサが反応した際に応答すべき優先順位を表示する優先順位表を有する入室表示器、前記監視カメラの画像及び前記第１テレビ電話用カメラが撮影した画像を表示するディスプレイ、前記第１テレビ電話と接続して会話する第２テレビ電話器を有する２台以上の中央端末とを有し、前記受付端末と中央端末を結ぶ伝送路を介して前記第１テレビ電話と第２テレビ電話とで通話することを特徴とするテレビ電話装置にある。
【００１１】
即ち、入室センサにより来訪者の入室を検知して中央端末に通知して入室表示器により表示する。監視カメラや、キャプチャ装置により得たテレビ電話用カメラの画像を入室検知時点もしくは入室検知時点より前から表示する手段を設けるとともに、２台の中央端末の両方へ同時に入室通知を通知し、優先順位表に基づき中央端末が第1に応答すべき第１の中央端末だった場合には、入室表示器の表示を第１に応答すべきことの表示を行い、第２に応答すべき中央端末には第１の中央端末が応答しなかった場合に応答すべきことを表示するものである。
具体的には、前述のテレビ電話装置により、前記受付端末の入室センサが反応した際に中央端末に表示する事により来訪者があったことを中央端末の係員に通知し、前記受付端末の監視カメラの画像と、前記テレビ電話用のカメラが撮影している画像を確認してから、前記受付端末のテレビ電話へ接続要求を行い、前記受付端末のテレビ電話は自動応答させてテレビ電話を開始して会話を行うとともに、前記会話中に第２の受付端末の監視カメラの画像と、第２の受付端末のテレビ電話用カメラが撮影している画像を表示でき、第２の受付端末の入室センサが反応した際に中央端末に表示することにより、第２の受付端末に来訪者があったことを中央端末の係員に通知することを特徴とするテレビ電話の通信方法にある。
【００１２】
更に、前述のテレビ電話装置において、前記中央端末が２台以上であり、前記受付端末の入室センサが反応した際に、第１に応答すべき優先順位の中央端末には第１に応答すべき事を示す表示を行い、第２に応答すべき優先順位の中央端末には第２に応答すべき事を示す表示を行なう表示部を設けることを特徴とする。
【発明の効果】
【００１３】
本発明によれば、着呼時又は、着呼時以前から発呼者の画像を表示して通信相手を確認できると共に、テレビ電話通話中に他の着呼があった際に通話を継続しながら着呼時又は、着呼時以前から発呼者の画像を表示して他方の通信相手を確認でき、更に、第１の接続先が応答しない場合に第２の接続先に対応させる際に、第２の接続先への発呼の遅れがなく切替えが可能なテレビ電話通信方法及びテレビ電話装置を提供することができる。
【発明を実施するための最良の形態】
【００１４】
以下、本発明を実施するための最良の形態を具体的な実施例によって説明する。
【実施例１】
【００１５】
図１は、本発明のテレビ電話通信装置を示すブロック構成図である。受付端末３は、来訪者１を検知する入室センサ１０と、テレビ電話１３、監視カメラ１１、テレビ電話用のカメラが撮影している画像を取得するキャプチャ装置１２から成る。
【００１６】
テレビ電話１３は、係員の映像１５と、来訪者の映像１６を表示する為のフレームメモリ１４、ディスプレイ１７及び、テレビ電話用カメラ１８、マイク１９、スピーカ２０、コーデック２１から成る。キャプチャ装置１２は、フレームメモリ１４上に記録されるテレビ電話用カメラ１６の画像を取り出すことで実現する。この処理を一般にキャプチャと呼ぶので、以下、テレビ電話用のカメラが撮影している画像を取得する手段をキャプチャ装置１２と記し、取得したテレビ電話用のカメラが撮影している画像をキャプチャ画像と記す。
中央端末４は、受付端末３の入室センサ１０が来訪者１を検知した際に優先順位表４８に基づいて表示する入室表示器４０と、受付端末３の監視カメラ１１の画像を監視カメラ画像切替器３３を通してフレームメモリ３５上の監視カメラ画像３７の位置に書き込むことで、ディスプレイ４２に表示する手段と、受付端末３のキャプチャ画像をキャプチャ画像切替器３１を通してフレームメモリ３５上のキャプチャ画像３６の位置に書き込むことで、ディスプレイ４２に表示する手段と、テレビ電話機４１とを有する。
監視カメラ画像切替器３３は、入室表示器４０又は、カメラ画像切替スイッチ３２からの指示により、受付端末３が２台以上ある場合に切替えて表示できるようにする。キャプチャ画像切替器３１は、入室表示器４０又は、カメラ画像切替スイッチ３２からの指示により、受付端末３が２台以上ある場合に切替えて表示できるようにする。
テレビ電話４１は、係員の映像３８と、来訪者の映像３９を表示するためにフレームメモリ３５に書き込みディスプレイ４２に表示する手段と、カメラ４３、マイク４４、スピーカ４５、コーデック４６と、受付端末３が２台以上ある場合に切替えて接続する切替えスイッチ３４から成る。
受付端末３の伝送路５０と、中央端末４の伝送路５１は、ＬＡＮ(Local Area Network)を利用し、受付端末３と中央端末４の間の伝送路５２は、ＬＡＮ又はＩＳＤＮ（Integrated Services Digital Network）または、ＤＳＬ(Digital Subscriber Line)などの回線と終端装置を使用して、ＩＰ(Internet Protocol)接続を用いることで、物理的には１回線でも、論理的に複数の伝送路を確保する。
図２は、受付端末の動作を示すフロー図である。受付端末３を起動すると、まず起動通知２００を実行し、中央端末４に対して起動通知２００を行なう。その後、入室センサ１０の状態入力２０１、入室センサ１０の状態判定２０２を中央端末４からの指示受信２０４、中央端末４からの指示判定２０５を順に繰り返し処理する。入室センサ１０の状態が感知に変化すると、入室通知２０３を実行し、中央端末３に対して入室通知を行なう。
中央端末４からのテレビ電話接続要求の指示があればテレビ電話接続２０６を実行してテレビ電話できる状態にする。中央端末４からのテレビ電話切断要求の指示があればテレビ電話切断２０７を実行してテレビ電話を切断する。中央端末４からのカメラ画像送出要求の指示があれば監視カメラ１１の画像と、キャプチャ画像３６の送出を開始する。
監視カメラ画像３７と、キャプチャ画像３６の送出は、ビットマップ方式の静止画や、ＪＰＥＧ(Joint Photographic Coding Experts Group)方式などで圧縮した静止画を一定時間の周期で逐次送出するか、ＭＰＥＧ(Moving Picture Coding Experts Group)方式などを応用した動画像でも良い。中央端末４からのカメラ画像停止要求の指示があれば監視カメラ画像３７と、キャプチャ画像３６の送出を停止する。
２台以上の中央端末をもって構成する場合は、受付端末３の入室センサ１０の信号は中央端末４、中央端末４ｂ等全ての中央端末に送出するものとし、監視カメラ画像３７及びキャプチャ画像３６は、中央端末４、中央端末４ｂ等の一つ以上の中央端末から送出要求があった場合は要求のあった送出要求のあった中央端末への送出を開始する構成とする。テレビ電話３４は中央端末４、中央端末４ｂ等のうち最初に接続要求のあった中央端末一つと接続できれば良い。
図３は中央端末の動作を示すフロー図である。中央端末４を起動すると、受付端末からの通知受信１０１、受付端末からの通知判定１０２、係員の操作入力１０８、係員の操作判定１０９の処理を繰り返す。受付端末３からの起動通知を受信すると、カメラ画像送出要求１０６を実行すると共に、中央端末４のカメラ画像切替を行い、当該受付端末３から送信されてくる監視カメラ画像３７と、キャプチャ画像３６を表示する。
受付端末３からの入室通知を受信すると、入室表示１０３、カメラ画像送出要求１０４を実行すると共に、中央端末のカメラ画像切替１０５を行い、入室表示器４０により受付端末３において、来訪者１の入室があった事を表示すると共に、当該受付端末から送信されてくる監視カメラ画像３７と、キャプチャ画像３６を表示する。
入室表示器４０は、音声にて「来訪者があります」等と電子音声を発生させてスピーカ４５を介して表示する方式の他、ランプの点灯による光、ブザーによる音、ファンによる風、バイブレータによる振動としても良い。
係員２の操作により、テレビ電話の接続要求１１０、テレビ電話の切断要求１１３、カメラ画像送出要求１１１、カメラ画像停止要求１１４を処理させることができるよう構成する。また、カメラ画像送出要求１１１と共に、中央端末のカメラ画像切替え１１２を処理し、当該受付端末から送信されてくる監視カメラ画像３７と、キャプチャ画像３６を表示する。
図４は、本実施例の受付端末３、受付端末３ｂが起動する際の、受付端末３、受付端末３ｂ、中央端末４の画面遷移を示した図である。どの受付端末も起動していない時点では、受付端末３、受付端末３ｂいずれも何も表示されていない状態となる。中央端末のキャプチャ画像３６と、中央端末の監視カメラ画像３７にも表示できる画像が無いので、表示されない。その結果３００に示すように、中央端末の係員の画像３８のみが表示された状態となる。
受付端末３が起動した際には、まず起動通知２００の作用により、中央端末４に起動通知がなされ、カメラ画像送出要求１０６の作用により、受付端末３に対してカメラ画像送出要求を行なうと共に中央端末のカメラ画像切替え１０７を行なう。受付端末３は、中央端末からの指示受信２０４の作用によりカメラ画像送出要求の指示を受け取り、中央端末からの指示判定２０５の作用により、カメラ画像送出開始２０８を実行することで受付端末３の監視カメラ１１の画像を伝送路６１、監視カメラ画像切替器３３を介してフレームメモリ３５の監視カメラ画像３７に書き込むことで、ディスプレイ４２に表示するとともに、キャプチャ画像を伝送路６２、キャプチャ画像切替器３１を介してフレームメモリ３５のキャプチャ画像３６に書き込むことで、ディスプレイ４２に表示する。
【００１７】
その結果、３０１に示すように、受付端末３の来訪者の画像１６と、中央端末のキャプチャ画像３６にはカメラ１８の画像が表示され、中央端末の監視カメラ画像３７には、監視カメラ画像３７が表示される。まだテレビ電話は接続されていないので受付端末３の係員の画像と、中央端末の来訪者の画像３９は何も表示されない。
第２の受付端末３ｂが起動した際にも同様の処理により、受付端末３ｂの監視カメラ１１の画像とキャプチャ画像をディスプレイ４２に表示する。その結果、３０２に示すように、受付端末３ｂの来訪者の画像１２と、中央端末のキャプチャ画像３６には受付端末３ｂのキャプチャ画像が表示され、中央端末の監視カメラ画像３７には、受付端末３ｂの監視カメラ１１の画像が表示される。まだテレビ電話は接続されていないので受付端末３ｂの係員の画像１１と、中央端末の来訪者の画像３９は何も表示されない。
受付端末３の入室センサ２０が反応した際には、入室通知２０３の作用により、中央端末４に入室通知を送出する。中央端末４は、受付端末からの通知受信１０１で入室通知を受け取り、受付端末からの通知判定１０２の作用により、入室表示１０３を実行して入室表示すると共に、カメラ画像送出要求１０４の作用により、受付端末３に対してカメラ画像送出要求を行なうと共に中央端末のカメラ画像切替え１０５を行なう。受付端末３は、中央端末からの指示受信２０４の作用によりカメラ画像送出要求の指示を受け取り、中央端末からの指示判定２０５の作用により、カメラ画像送出開始２０８を実行することで受付端末３の監視カメラ１１の画像を伝送路６１、監視カメラ画像切替器３１を介してフレームメモリ３５の監視カメラ画像３７に書き込むことで、ディスプレイ４２に表示するとともに、画像キャプチャ１２で得たテレビ電話用のカメラが撮影している画像を伝送路６２、キャプチャ画像切替器３１を介してフレームメモリ３５のキャプチャ画像３６に書き込むことで、ディスプレイ４２に表示する。
【００１８】
図５は、使用時の画面遷移図である。図５において、３１０に示すように、受付端末３の来訪者の画像１２と、中央端末のキャプチャ画像２６には受付端末３のキャプチャ画像が表示され、中央端末の監視カメラ画像３７には、受付端末３の監視カメラ１１の画像が表示される。まだテレビ電話は接続されていないので受付端末３の係員の画像１１と、中央端末の来訪者の画像３９は何も表示されない。
係員は、表示されている監視カメラ画像３７と、キャプチャ画像３６を確認してから、テレビ電話接続要求を行なうことが可能となる。係員がテレビ電話接続要求スイッチ４７を操作すると、コーデック４６、切替え器２１、伝送路６３を介して、受付端末３のコーデック２１にテレビ電話接続要求が伝えられる。受付端末３は、中央端末からの指示受信２０４により受取、中央端末からの指示判定２０５の作用により、テレビ電話接続２０５を実行して中央端末４とのテレビ電話を開始する。その結果、図５において、３１１に示すように、テレビ電話が接続されて受付端末３の係員の画像１１と、中央端末の来訪者の画像３９も表示される。
受付端末３と中央端末４の間のテレビ電話中でも、係員にはカメラ画像切替えスイッチ３２を操作することで、係員の操作入力１０８に指示を与え、係員の操作判定１０９の作用により、カメラ画像送出要求１１１、中央端末のカメラ画像切替え１１２を実行して他の受付端末のカメラ画像に切替えることを可能とする。
受付端末３と中央端末４の間のテレビ電話中に、第２の受付端末に来訪者があった場合には、受付端末３ｂの入室センサ２０が反応し、入室通知２０３の作用により、中央端末４に入室通知を送出する。中央端末４は、受付端末からの通知受信１０１で入室通知を受け取り、受付端末からの通知判定１０２の作用により、入室表示１０３を実行して入室表示すると共に、カメラ画像送出要求１０４の作用により、受付端末３ｂに対してカメラ画像送出要求を行なうと共に中央端末のカメラ画像切替え１０５を行なう。受付端末３ｂは、中央端末からの指示受信２０４の作用によりカメラ画像送出要求の指示を受け取り、中央端末からの指示判定２０５の作用により、カメラ画像送出開始２０８を実行することで受付端末３ｂの監視カメラ１１の画像を伝送路６１ｂ、監視カメラ画像切替器３３を介してフレームメモリ３５の監視カメラ画像３７に書き込むことでディスプレイ４２に表示するとともに、画像キャプチャ１２で得たキャプチャ画像を伝送路６２ｂ、キャプチャ画像切替器３１を介してフレームメモリ３５のキャプチャ画像３６に書き込むことで、ディスプレイ４２に表示する。
【００１９】
その結果、中央端末の来訪者の画像１６は、テレビ電話中の受付端末３の来訪者を映しているが、監視カメラ画像３７及び、キャプチャ画像３５は受付端末３ｂの画像を表示する状態となる。テレビ電話中でも来訪者を検出した第２の受付端末３ｂの状態を画像で確認できることで、受付端末３ｂの来訪者を待たせるか、テレビ電話中の受付端末３の来訪者とのテレビ電話を切断して、受付端末３ｂの来訪者とのテレビ電話を開始すべきかの判断材料を係員に提供することを可能とする。
図６は、中央端末の優先順位表を示すものである。本実施例において、中央端末が２つ以上ある場合には、入室表示器４０に内蔵する図６に示す優先順位表を参照し、受付端末３において入室センサ１０が来訪者を検知して入室通知を中央端末４及び中央端末４ｂに送信した時、中央端末４では、優先順位表４８を参照して、入室通知のあった受付端末が受付端末３の場合には優先して応答すべき中央端末が中央端末４であることを知り、自ら中央端末が優先して応答すべき中央端末であると判定して「受付端末３に来訪者があります。対応してください。」等と表示する。
【００２０】
同様に中央端末４ｂでは、優先順位表４８を参照して、入室通知のあった受付端末が受付端末３の場合には優先して応答すべき中央端末が中央端末４であることを知り、自ら中央端末が優先して応答すべき中央端末でないと判定して「受付端末３に来訪者。中央端末４の対応を待っています。中央端末４が対応しない場合は対応してください。」等と表示して、中央端末４ｂには中央端末４が対応すればよいことを表示すると共に、中央端末４と同じ時点から表示することで、係員に準備をさせて代理応答までの時間を短縮する。
入室表示器４０は、合成音声にて「受付端末３に来訪者があります。対応してください。」及び「受付端末３に来訪者。中央端末４の対応を待っています。中央端末４が対応しない場合は対応してください。」と２種類の異なる電子音声を発生させてスピーカ４５を介して表示する方式の他、２種類のランプの点灯による光、２種類のブザーによる音、２種類のファンによる風、２種類のバイブレータによる振動としても良い。
以上、本実施例によれば、着呼時又は、着呼時以前から発呼者の画像を表示して通信相手を確認できると共に、テレビ電話通話中の着呼があった際に通話を継続しながら着呼時又は、着呼時以前から発呼者の画像を表示して他方の通信相手を確認でき、更に、第１の接続先が応答しない場合に第２の接続先に対応させる際に、第２の接続先への発呼の遅れがなく切替えが可能となる。
【００２１】
又、本実施例によれば、入室センサが来訪者を検知した時点、又は、入室センサが来訪者を検知する以前から受付端末の様子を画像により確認してテレビ電話を開始することを可能とし、又、テレビ電話中に他の受付端末の画像の表示を可能とすることで、テレビ電話中に他の受付端末で入室センサが来訪者を検知した時点又は、入室センサが来訪者を検知する以前から受付端末の様子を画像により確認してテレビ電話を切替えることが可能となる。
更に、複数の中央端末からなる場合は、受付端末の入室センサが来訪者を検知した時点で、全ての中央端末に入室センサが来訪者を検知したことを表示することにより、第1に対応する優先順位をもつ中央端末が応答しない場合に、第２の中央端末への表示の遅延がなく、転送するまでの無駄な時間の発生を防ぐことができる。
【００２２】
更に、本実施例においては、警察署の交番や派出所において警察官不在時に代わって管轄する本署の係官が対応する為のテレビ電話システム、公民館などにおいて係員不在時に代わって管轄する市役所等の係官が対応する為のテレビ電話システム、無人駅などにおいて駅員不在時に代わって管轄する駅の係員が対応する為のテレビ電話システムへの適用が可能である。
【実施例２】
【００２３】
図７は、本発明の他のテレビ電話通信装置を示すブロック構成図である。本実施例は、実施例１に対して、受付端末の改良を図ったものである。入室センサ１０の誤動作、故障があると、来訪者があっても中央端末４に通知できないため、係員２に表示することができない。そこで、本実施例では、実施例１に対して、入室センサ１０ａを設置して二重系とし、更に、呼出ボタン２２を設置し代替え手段とし、並列に接続することで、入室センサ１０の誤動作、故障があっても入室センサ１０ａが作動するか、来訪者が呼び出しボタン２２を操作することにより、中央端末４に通知し、係員２に表示することを可能とする。本実施例においても、実施例１と同様の効果を有し、又、警察署、公民館、無人駅でのテレビ電話システムへの適用が可能である。
【実施例３】
【００２４】
図８は、本発明の他のテレビ電話通信装置を示すブロック構成図の中の中央端末を示すものである。本実施例は実施例１の中央端末の改良を図ったものである。実施例１では、カメラ画像を切替えて表示する方式であるが、カメラ画像の表示部を複数設けることにより、切替えをしなくとも１つ以上の受付端末のカメラ画像を表示することで、カメラ画像切替えの手間を省くことが可能になる。更に、ハードディスク装置などの記録媒体４７を装備し、カメラ画像を記録できるようにしても良い。本実施例においても、実施例１と同様の効果を有し、又、警察署、公民館、無人駅でのテレビ電話システムへの適用が可能である。
【図面の簡単な説明】
【００２５】
【図１】本発明のテレビ電話通信装置を示すブロック構成図である。
【図２】本発明の受付端末の動作を示すフロー図である。
【図３】本発明の中央端末の動作を示すフロー図である。
【図４】本発明の受付端末の起動時の画面遷移図である。
【図５】本発明の受付端末の使用時の画面遷移図である。
【図６】本発明の中央端末が２以上ある場合に使用する優先順位を示す図である。
【図７】本発明の他のテレビ電話通信装置を示すブロック構成図である。
【図８】本発明の他のテレビ電話通信装置を示すブロック構成図である。
【符号の説明】
【００２６】
１…来訪者、２…係員、３…受付端末、３ｂ…第２の受付端末、４…中央端末、４ｂ…第２の中央端末、１０…入室センサ、１０ａ…第２の入室センサ、１１…監視カメラ、１２…キャプチャ装置（テレビ電話用のカメラが撮影している画像を取得する手段）、１３…テレビ電話装置、１４…フレームメモリ、１５…係員の画像、１６…来訪者の画像、１７…ディスプレイ、１８…カメラ、１９…マイク、２０…スピーカ、２１…コーデック、２２…呼出ボタン、３１…キャプチャ画像切替器、３２…カメラ画像切替スイッチ、３３…監視カメラ画像切替器、３４…テレビ電話切替器、３５…フレームメモリ、３６…キャプチャ画像（テレビ電話用のカメラが撮影している画像）、３７…監視カメラ画像、３８…係員の画像、３９…来訪者の画像、４０…入室表示器、４１…テレビ電話装置、４２…ディスプレイ、４３…カメラ、４４…マイク、４５…スピーカ、４６…コーデック、４７…記録媒体、４８…優先順位表、５０…受付端末の伝送路、５０ｂ…第２の受付端末の伝送路、５１…央端末の伝送路、５１…第２の中央端末の伝送路、５２…受付端末と中央端末間の伝送路、６０…入室センサ信号の伝送路、６０ｂ…第２の受付端末の入室センサ信号の伝送路、６１…監視カメラ映像の伝送路、６１ｂ…第２の受付端末の監視カメラ映像の伝送路、６２…キャプチャ画像の伝送路、６２ｂ…第２の受付端末のキャプチャ画像の伝送路、６３…テレビ電話画像及び音声の伝送路、６３ｂ…第２の受付端末のテレビ電話画像及び音声の伝送路、６４…呼出ボタン信号の伝送路、６４ｂ…第２の受付端末の呼出ボタン信号の伝送路。
【図１】
2006140652.tif 000003
【図２】
2006140652.tif 000004
【図３】
2006140652.tif 000005
【図４】
2006140652.tif 000006
【図５】
2006140652.tif 000007
【図６】
2006140652.tif 000008
【図７】
2006140652.tif 000009
【図８】
2006140652.tif 000010